(57)【要約】【課題】信号線、受信回路基板、および受信装置のグランドを最短距離で確実にシールドし、不要な信号を遮蔽することができる受信装置および複合受信装置の提供。【解決手段】チューナシャーシ３０と、このチューナシャーシ３０の内部に設けられ、高周波信号が流れる基板５０とを備え、信号線の周りにフレーム接続部２２が設けられている入力ケーブル２０が基板５０に接続される。基板５０には入力ケーブル２０を接続するためのコネクタ１０が設けられ、チューナシャーシ３０には、入力ケーブル２０を通す開口部３２が形成されている。開口部３２には、入力ケーブル２０のフレーム接続部２２とチューナシャーシ３０とを接続するためのケーブルＧＮＤ接続部３１が形成されチューナシャーシ３０と基板５０の接地線とをケーブルＧＮＤ接続部３１からコネクタ１０に至る入力ケーブル２０の接地線を介して接続可能である。【選択図】図１
2008085676.tif 000002
【特許請求の範囲】
【請求項１】
導電性フレームと、この導電性フレームの内部に設けられ、高周波信号が流れる回路基板とを備え、信号線の周りに接地線が設けられているケーブルが前記回路基板に接続される受信装置において、
前記回路基板には前記ケーブルを接続するためのコネクタが設けられ、
前記導電性フレームには、前記ケーブルを通す開口部が形成され、この開口部には、前記コネクタに接続されたケーブルの前記接地線と接触し、前記接地線を前記導電性フレームに接続するための接続部が形成され、
前記導電性フレームと前記回路基板の接地線とを前記接続部から前記コネクタに至る前記ケーブルの前記接地線を介して接続可能であることを特徴とする受信装置。
【請求項２】
前記導電性フレームはシャーシであることを特徴とする請求項１に記載の受信装置。
【請求項３】
前記導電性フレームはシャーシと、このシャーシの外側に設けられ、シャーシと導通するシールド部材とを含み、前記接続部が前記シールド部材に形成されていることを特徴とする請求項１に記載の受信装置。
【請求項４】
前記回路基板は、外部からの高周波信号の入力と内部の高周波信号の出力とが可能であり、
前記コネクタは、前記高周波信号を入力するための前記ケーブルの接続用および前記高周波信号を出力するための前記ケーブルの接続用のものがそれぞれ設けられ、
前記導電性フレームには、高周波信号の入力用と出力用との前記各ケーブルに対応した前記開口部および前記接続部がそれぞれ形成されていることを特徴とする請求項１に記載の受信装置。
【請求項５】
前記コネクタと前期回路基板とを接続する前記コネクタの接地端子が延長され、前記導電性フレームと接続していることを特徴とする請求項１に記載の受信装置。
【請求項６】
前記ケーブルにおける前記コネクタとの接続側端部には前記ケーブルの接地線と接続されたプラグが設けられており、前記導電性フレームの接続部は前記プラグと接続されることを特徴とする請求項１に記載の受信装置。
【請求項７】
前記導電性フレームの接続部は、前記ケーブルの前記接地線に弾性力により圧接される圧接部を有していることを特徴とする請求項１に記載の受信装置。
【請求項８】
請求項４に記載の受信装置を複数備え、第１の受信装置における高周波信号出力用のコネクタと第２の受信装置における高周波信号入力用のコネクタとが前記ケーブルにて接続されていることを特徴とする複合受信装置。
【発明の詳細な説明】
【技術分野】
【０００１】
本発明は高周波信号を送受信する受信装置に用いるケーブルの接続部に関するものであり、例えば放送信号の受信装置に関するものである。特にテレビ、ビデオカセットレコーダー、またはセットトップボックスなどでの送受信に用いるチューナなどの受信装置、前記受信装置を複数備える複合受信装置などのケーブルの接続部に関するものである。
【背景技術】
【０００２】
テレビに使用される地上波のチューナは、アンテナの信号から希望する周波数の信号を取り出す役割を担っている。
【０００３】
従来の地上波チューナにおいては、ＲＦ入力信号はアンテナからの入力ケーブルを介して、チューナシャーシに固定されているＲＦ入力端子によって入力されている。
【０００４】
図１０は、従来のアンテナからの入力ケーブルとチューナとの接続部を示した平面図であり、アンテナからの入力ケーブル１２０とチューナシャーシ１３０とがアンテナの入力コネクタ１１０，１２１によって接続されている様子を示した平面図である。
【０００５】
アンテナの入力コネクタ１１０，１２１の形状については、ＩＥＣコネクタ（メス型）、Ｆ接栓（メス型）およびＲＣＡフォノジャック等が広く知られている。
【０００６】
チューナでは、外部からの信号や内部信号との干渉によってＲＦ入力信号などが影響を受けないようにするために、信号線およびチューナをシールドし、グランドに接続することによって不要な信号を遮蔽することがおこなわれている。
【０００７】
例えば、特許文献１では、ＲＦ信号のアナログ信号の回路とデジタル信号の回路とで取り扱う信号が輻射によって相互に影響を及ぼさないように、アナログ回路をシールドケースによって覆ったのち、前記シールドケースで覆われたアナログ回路とデジタル信号を扱うデジタル回路とをさらに別のシールドケースによって覆うことについて開示している。
【０００８】
また、近年では、チューナの小型化が進むとともに、チューナから外部にＲＦ信号を出力するためのＲＦ出力コネクタが設けられたり、同一の筐体のなかに２個または複数のチューナが搭載されたりすることも多くなってきている。
【０００９】
前記のようにＲＦ入出力のコネクタが多数設けられるようになると、チューナシャーシ１３０に設けられた前記ＲＦ入出力のコネクタ１１０が場所をとるようになり、特に複数のチューナを接続する場合に、チューナシャーシ１３０の外部に突出している従属側のＲＦ信号の入力コネクタ１１０が装置の小型化を阻む原因となっている。
【００１０】
前記入力コネクタ部分を小型化する試みとして、特許文献２には入力コネクタの一部分または全部をチューナシャーシ１３０の内方に設けることについて開示されている。
【００１１】
また、小型チューナにおいては、図１１に示すように電源コネクタと同形状のＰＩＮで構成される入力端子１１０ａを使用し、ＲＦ入力信号を入力するものもある。
【特許文献１】特開２００６−６０４７４号公報（平成１８年（２００６年）３月２日公開）
【特許文献２】特開２００４−５５２０９号公報（平成１６年（２００４年）２月１９日公開）
【発明の開示】
【発明が解決しようとする課題】
【００１２】
しかしながら、前記従来の構成では、信号線、受信回路基板、および受信装置のグランドを最短距離で確実にシールドし、不要な信号を遮蔽することができないという問題点を有している。
【００１３】
前記特許文献２では、入力コネクタの部分を小型化するために入力コネクタ１１０の一部分または全部をチューナシャーシ１３０の内方に設ける構成について開示されている。
【００１４】
前記特許文献２の構成では、入力コネクタ１１０がチューナシャーシ１３０に設けられており、入力コネクタ１１０の一部分または全部をチューナシャーシ１３０の内方に設けるためにはチューナシャーシ１３０の形状を大きく変形して内方へ折り曲げる必要がある。
【００１５】
しかしながら前記の構成では、入力コネクタ１１０はチューナシャーシ１３０に設けられているため、アンテナからの入力ケーブル１２０とチューナシャーシ１３０とのグランドは接続されるものの、受信回路基板とチューナシャーシ１３０とのグランドの接続は別途おこなう必要があった。
【００１６】
また、前記のグランドの接続が不安定であったり、長い距離を経て接続されていたりすることによってアンテナからの入力ケーブル１２０、チューナシャーシ１３０、および受信回路基板のグランド電位にずれが生じると、遮蔽の効果が薄れてしまうために不要な信号を輻射してしまったり、外部からの輻射の影響を受けやすくなってしまう。
【００１７】
本発明は、前記従来の問題点に鑑みなされたものであって、その目的は、信号線、受信回路基板、および受信装置のグランドを最短距離で確実にシールドし、不要な信号を遮蔽することができる受信装置および複合受信装置を提供することにある。
【課題を解決するための手段】
【００１８】
本発明の受信装置は、前記課題を解決するために、導電性フレームと、この導電性フレームの内部に設けられ、高周波信号が流れる回路基板とを備え、信号線の周りに接地線が設けられているケーブルが前記回路基板に接続される受信装置において、前記回路基板には前記ケーブルを接続するためのコネクタが設けられ、前記導電性フレームには、前記ケーブルを通す開口部が形成され、この開口部には、前記コネクタに接続されたケーブルの前記接地線と接触し、前記接地線を前記導電性フレームに接続するための接続部が形成され、前記導電性フレームと前記回路基板の接地線とを前記接続部から前記コネクタに至る前記ケーブルの前記接地線を介して接続可能であることを特徴としている。
【００１９】
また、本発明の受信装置では、前記導電性フレームはシャーシであることが好ましい。
【００２０】
前記の発明によれば、導電性フレームの内部に設けられた回路基板の接地線と導電性フレームとを接地線が設けられているケーブルによって接続する。前記の接続では、導電性フレームと回路基板とを構成上短い距離でおこなうことになる。
【００２１】
即ち、回路基板、導電性フレーム、およびケーブルの接地線は、接地電位を同じ電位に保つことができるので、輻射や外部ノイズからの遮蔽効果を高めることができる。
【００２２】
また、受信装置での受信の信号線を直接受信装置内部の回路基板に接続するため、受信装置を小型化することもできる。
【００２３】
また、本発明の受信装置では、前記導電性フレームはシャーシと、このシャーシの外側に設けられ、シャーシと導通するシールド部材とを含み、前記接続部が前記シールド部材に形成されていることが好ましい。
【００２４】
シールド部材はシャーシよりバネとしての弾性が優れており、挿抜による接触力の低下をおこしにくい。
【００２５】
また、本発明の受信装置では、前記コネクタと前期回路基板とを接続する前記コネクタの接地端子が延長され、前記導電性フレームと接続していることが好ましい。
【００２６】
これにより、コネクタと回路基板とを接続する前記コネクタの接地端子が直接導電性フレームと接続されるので、回路基板の接地がさらに確実になり、輻射や外部ノイズからの遮蔽効果を高めることができる。
【００２７】
また、本発明の受信装置では、前記ケーブルにおける前記コネクタとの接続側端部には前記ケーブルの接地線と接続されたプラグが設けられており、前記導電性フレームの接続部は前記プラグと接続されることが好ましい。
【００２８】
これにより、ケーブルのコネクタとの接続側端部には、プラグが形成され、プラグと導電性フレームの接続部とが接続される。このため、プラグの挿入、抜取時において、ケーブルが導電性フレームなどと接触し、破損する可能性を抑えることができる。また、より確実に安定して接続をおこなうことができる。
【００２９】
また、本発明の受信装置では、前記導電性フレームの接続部は、前記ケーブルの前記接地線に弾性力により圧接される圧接部を有していることが好ましい。
【００３０】
これにより、導電性フレームの接続部はケーブルを弾性力によって圧接して保持される。このように構成することで、ケーブルの抜き差しをおこなうときでもケーブルが導電性フレームの接続部に対して安定して接触するようにすることができる。
【００３１】
また、本発明の受信装置では、前記回路基板は、外部からの高周波信号の入力と内部の高周波信号の出力とが可能であり、前記コネクタは、前記高周波信号を入力するための前記ケーブルの接続用および前記高周波信号を出力するための前記ケーブルの接続用のものがそれぞれ設けられ、前記導電性フレームには、高周波信号の入力用と出力用との前記各ケーブルに対応した前記開口部および前記接続部がそれぞれ形成されていることが好ましい。
【００３２】
さらに本発明の複合受信装置は、前記課題を解決するために、上記に記載の受信装置を複数備え、第１の受信装置における高周波信号出力用のコネクタと第２の受信装置における高周波信号入力用のコネクタとが前記ケーブルにて接続されていることを特徴としている。
【００３３】
前記の発明によれば、それぞれの受信装置において、導電性フレームの内部に設けられた回路基板の接地線と導電性フレームとを接地線が設けられているケーブルによって接続するとともに、複数設けられた受信装置間を前記ケーブルによって接続する。
【００３４】
即ち、回路基板、導電性フレーム、およびケーブルの接地線は接地電位を同じ電位に保つことができるとともに、受信装置間での接地電位も同じ電位に保つことができる。このため、輻射や外部ノイズからの遮蔽効果を高めることができる。
【００３５】
また、受信装置での受信の信号線を直接受信装置内部の回路基板に接続するため、受信装置を小型化することもできる。
【００３６】
なお、本発明の受信装置および複合受信装置では、上記に記載の受信装置がテレビ、ビデオカセットレコーダー、またはセットトップボックスなどを構成することができる。
【発明の効果】
【００３７】
本発明の受信装置は、以上のように、前記回路基板には前記ケーブルを接続するためのコネクタが設けられ、前記導電性フレームには、前記ケーブルを通す開口部が形成され、この開口部には、前記コネクタに接続されたケーブルの前記接地線と接触し、前記接地線を前記導電性フレームに接続するための接続部が形成され、前記導電性フレームと前記回路基板の接地線とを前記接続部から前記コネクタに至る前記ケーブルの前記接地線を介して接続可能である構成である。
【００３８】
また、本発明の複合受信装置は、以上のように、外部からの高周波信号の入力と内部の高周波信号の出力とが可能である受信装置を複数備え、第１の受信装置における高周波信号出力用のコネクタと第２の受信装置における高周波信号入力用のコネクタとが前記ケーブルにて接続されている構成である。
【００３９】
本発明の受信装置および複合受信装置では、導電性フレームの内部に設けられた回路基板の接地線と導電性フレームとを接地線が設けられているケーブルによって接続する。前記の接続では、導電性フレームと回路基板とを構成上短い距離で接続する。
【００４０】
即ち、回路基板、導電性フレーム、およびケーブルの接地線は、接地電位を同じ電位に保つことができる。さらに、複数の受信装置を接続する場合には、受信装置間での接地電位も同じ電位に保つことができる。このため、輻射や外部ノイズからの遮蔽効果を高めることができる。
【００４１】
また、受信装置での受信の信号線を直接受信装置内部の回路基板に接続するため、受信装置を小型化することもできる。
【００４２】
それゆえ、信号線、受信回路基板、および受信装置のグランドを最短距離で確実にシールドし、不要な信号を遮蔽することができる受信装置および複合受信装置を提供することができるという効果を奏する。
【発明を実施するための最良の形態】
【００４３】
本発明は、チューナシャーシを有するチューナにおいて、ＲＦ信号の入出力端子をチューナ内部の基板に設け、入出力端子部分をさらに小型化するチューナ端子およびそれを備える受信装置に関する発明であり、ＲＦ信号の入出力端子をＲＦ信号の入出力ケーブルを接続する際に、ケーブルの信号線を囲むＧＮＤラインをチューナシャーシと接続することにより、入出力ケーブルおよびチューナ基板のＧＮＤとチューナシャーシとを短い距離で接続し、輻射や外部ノイズからの遮蔽効果を高めるものである。前記構成によってＲＦ信号の輻射や外部信号からの遮蔽効果を高めることができる。
【００４４】
〔実施の形態１〕
本発明の実施の形態について図１〜図６に基づいて説明すれば、以下の通りである。
【００４５】
図１は、本実施の形態での入力ケーブル、ＲＦ信号の入力端子、およびチューナのシャーシの一部を示す断面図である。
【００４６】
チューナシャーシ３０には、基板５０が実装されており、基板５０にはＲＦ信号の入力コネクタ１０が設けられている。また、チューナシャーシ３０の外側には、シールド蓋４０が設けられている。
【００４７】
本実施の形態では、ＲＦ信号の入力ケーブル２０はＲＦ信号のコネクタ１０に接続されている。このとき、入力ケーブル２０のＧＮＤ線はコネクタＧＮＤ接続部２１でコネクタ１０のＧＮＤ端子１１、すなわち基板５０の接地線に接続されるとともに、フレーム接続部２２によってチューナシャーシ３０のケーブルＧＮＤ接続部３１と接続されている。
【００４８】
入力ケーブル２０をチューナシャーシ３０内に挿入するために、チューナシャーシ３０には開口部３２が形成されている。また、開口部３２において、入力ケーブル２０のＧＮＤ線をチューナシャーシ３０と接続するために、前記開口部３２にはケーブルＧＮＤ接続部３１が形成されている。本実施の形態において、ケーブルＧＮＤ接続部３１は、入力ケーブル２０の外形に沿ってチューナシャーシ３０の内側へ延びるほぼ筒形状を有している。また、このケーブルＧＮＤ接続部３１は、入力ケーブル２０のフレーム接続部２２に圧接されるように、弾性を有していることが好ましい。
【００４９】
従来の構成では、入力端子はチューナシャーシに設けられており、チューナの入力端子部分を小型化するためにはチューナシャーシの一部をチューナの基板の近くまで折り曲げる必要があった。そのため、外部からの信号や内部信号からの遮蔽効果を保つためにはチューナシャーシの構造とチューナの基板との配置について適宜検討する必要があった。
【００５０】
本実施の形態では、コネクタ１０をチューナシャーシ３０の内部の基板５０に設けて、チューナシャーシ３０の外面からのコネクタ１０の突出をなくしている。これにより、チューナの設置スペースの小型化が可能となっている。また、基板５０のＧＮＤとチューナシャーシ３０（ケーブルＧＮＤ接続部３１）とを、基板５０のコネクタ１０に接続される入力ケーブル２０のＧＮＤラインによって接続している。したがって、基板５０のＧＮＤとチューナシャーシ３０との接続を短い距離で確実におこなうことができる。これにより、信号線およびチューナをシールドし、不要な信号を遮蔽することができる。また、入力ケーブル２０におけるコネクタ１０との接続部の近傍部分がチューナシャーシ３０のケーブルＧＮＤ接続部３１によって保持されるので、入力ケーブル２０とコネクタ１０との接続状態が安定となる。
【００５１】
また、前記のケーブルＧＮＤ接続部３１は、伸縮可能なばねのような部材を用いて形成し、入力ケーブル２０を保持する圧接部３３を有していてもよい。このように構成することで、入力ケーブル２０の抜き差しをおこなうときでも入力ケーブル２０のフレーム接続部２２がチューナシャーシのケーブルＧＮＤ接続部３１に対して安定して接触するようにすることができる。
【００５２】
尚、入力ケーブル２０の挿入方向がシールド蓋の側から接続されるように配置する場合には、図２に示すようにチューナシャーシ３０ａにケーブルＧＮＤ接続部３１ａを設けてもよいし、図３に示すようにシールド蓋４０ｂにケーブルＧＮＤ接続部４１ｂを設けてもよい。いずれによっても、入力ケーブル２０を保持する機能と、入力ケーブル２０およびチューナの基板５０のＧＮＤとチューナシャーシとを短い距離で接続し、ＧＮＤ性能を強化する機能とを実現することができる。
【００５３】
尚、一般的にシールド蓋の方がシャーシよりバネとしての弾性が優れており、挿抜による接触力の低下をおこしにくい。
【００５４】
さらに、図４には、ＧＮＤの接続状態をさらに強化した例を示す。同図の例では、基板５０に実装されたコネクタ１０のＧＮＤの接続端子１２を長くし、基板５０の裏面に配置されているチューナシャーシ３０ｃに接続している。
【００５５】
また、図５には、基板５０に実装されたコネクタ１０のＧＮＤの接続端子１２を長くし、基板５０の裏面のシールド蓋４２に接触させる構成としたものを示す。
【００５６】
前記のコネクタ１０のＧＮＤの接続端子１２は、チューナシャーシ３０ｃまたはシールド蓋４２に孔を形成し、形成されたそれぞれの孔３２ｃ、４３ｄにおいてＧＮＤの接続端子１２を貫通してカシメることによって接続してもよいし、半田付けによって接続してもよい。また、コネクタ１０の基板５０とのＧＮＤの接続端子１２をバネを用いた端子として形成し、基板５０の裏面のチューナシャーシ３０ｃまたはシールド蓋４２に接触させることによって接続してもかまわない。
【００５７】
このような構成では、コネクタ１０のＧＮＤが直接チューナシャーシ３０ｃまたはシールド蓋４２に接触するため、ＧＮＤの接続がさらに確実になる。
【００５８】
尚、前記の実施の形態では、ＲＦ信号の入力ケーブル２０のＧＮＤ線にコネクタＧＮＤ接続部２１とフレーム接続部２２とを形成し、コネクタ１０のＧＮＤ端子１１およびチューナシャーシ３０のケーブルＧＮＤ接続部３１に接続していた。しかしながら、これらの接続部２１，２２は、図６に示すように、コネクタ・フレーム接続部２３として一体化して形成し、前記ＧＮＤ端子１１およびケーブルＧＮＤ接続部３１に接続してもよい。
【００５９】
前記のコネクタ・フレーム接続部２３は、入力ケーブル２０のＧＮＤ線をそのまま用いてもよいが、金属製の端子として形成してもよい。金属製の端子として形成することにより、入力ケーブル２０の挿入、抜取時に入力ケーブル２０自体の強度が弱くなったり、コネクタ・フレーム接続部２３とＧＮＤ端子１１およびケーブルＧＮＤ接続部３１との接触の強度が弱くなったりはせず、より確実に接続をおこなうことができる。
【００６０】
〔実施の形態２〕
本発明の他の実施の形態について図７〜図９に基づいて説明すれば、以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００６１】
本実施の形態では、前記実施の形態１のチューナーを複数備える構成について記載する。
【００６２】
近年では、テレビやビデオカセットレコーダー（ＶＣＲ：Ｖｉｄｅｏ  Ｃａｓｓｅｔｔｅ  Ｒｅｃｏｒｄｅｒ）、さらにはテレビに接続して各種情報サービスを受けるための機器であるセットトップボックス（ＳＴＢ：Ｓｅｔ  Ｔｏｐ  Ｂｏｘ）が小型化する傾向があり、また前記機器の中に複数のチューナを備える機器がある。また、薄型のテレビにおいても、２つの地上波チューナを備える機器がある。
【００６３】
図７は、一本の入力ケーブル２０から入力される信号が第１チューナに入力され、第１チューナからさらに入力ケーブル２０’によって第２チューナに入力される様子を示したブロック図である。チューナには、アンテナからの入力信号をそのまま出力するループスルー機能をもつチューナや、電源ＯＦＦ時であってもアンテナからの入力信号をそのまま出力するオフスルー機能を持つチューナが知られている。図７に示す第１チューナは、前記のループスルー機能またはオフスルー機能を備えたチューナであってもよいし、前記機能を備えず、第２チューナの使用時には第１チューナも動作させる構成であってもよい。
【００６４】
本実施の形態では、前記第１チューナのＲＦ信号の入出力コネクタ部分と第２チューナのＲＦ信号の入力コネクタ部分とに、実施の形態１で説明したケーブルの接続方法が用いられている。
【００６５】
前記のように構成することにより、第１チューナのＲＦ信号の出力コネクタと第２チューナのＲＦ信号の入力コネクタとをチューナ内部の基板に設け、これら入出力コネクタがチューナシャーシから出っ張らないように構成するとともに、入力ケーブル２０’の信号線を囲むＧＮＤラインをチューナシャーシと接続することにより、第１チューナおよび第２チューナの基板とチューナシャーシとのＧＮＤを同電位とすることができる。即ち、第１チューナおよび第２チューナにおいて、共通の安定したＧＮＤを用いることができるので、第１のチューナと第２チューナをつなぐ入力ケーブル２０’において、ＲＦ信号による不要輻射や外部からの信号に対する遮蔽効果を得ることができる。
【００６６】
図８は、本実施の形態における第１チューナと第２チューナとが、シャーシ６０に内蔵されている様子を示す断面図である。第１チューナと第２チューナとは、それぞれチューナシャーシ３０、３０’によって覆われている。図８の構成は、図７の具体例の一つであり、図８では入力ケーブル２０を接続するＲＦ信号の入力コネクタは第１チューナに設けられており、第２チューナのＲＦ信号の入力用のコネクタ１０’は第１チューナの出力コネクタ１３に入力ケーブル２０’によって接続されている。そして第１チューナのＲＦ出力コネクタ部分と第２チューナのＲＦ入力コネクタ部分とが、前記の図７に示した構成で接続されており、ＲＦ信号の入出力コネクタは実施の形態１で説明したケーブルの接続方法が用いられている。
【００６７】
図８のように構成すると、それぞれのチューナの入出力コネクタ１３、１０’がチューナシャーシの外部に露出していないので、シャーシ６０内部での入出力コネクタのスペースの効率化をはかることができる。
【００６８】
図９は、従来のＲＦ信号の入出力コネクタを用いて構成した、図８と同じ構成のシャーシの断面図である。ＲＦ信号の入出力コネクタはそれぞれ１１０，１１３，１１０’である。
【００６９】
すべてのＲＦ信号の入出力コネクタに従来のＲＦ信号の入出力コネクタ１１０，１１３，１１０’を使用した場合には、前記従来の入出力コネクタ１１０，１１３，１１０’がそれぞれのチューナのチューナシャーシ３０または３０’に設けられることになる。そのため、図９に示すようにＲＦ信号の入出力コネクタの接続部分を確保するためにシャーシ６０の内部に空間を確保する必要があった。
【００７０】
一方、本実施の形態のように第１チューナのＲＦ信号の出力コネクタ１３と第２チューナのＲＦ信号の入力のコネクタ１０’とを接続すると、ＲＦ信号の入出力コネクタ１３，１０’がチューナシャーシ３０，３０’からはみ出ないように構成することができるため、図９のように第１チューナと第２チューナとを接続する入力ケーブル２０のコネクタ部分の空間をシャーシ内部に確保する必要がない。
【００７１】
即ち、本実施の形態を用いると、従来のＲＦ信号の入出力コネクタ１１０，１１３，１１０’を使用した場合と比較して、ＲＦ信号の入出力コネクタのスペース（図９に示す斜線部分７０）をシャーシ６０の内部に確保する必要がない。
【００７２】
さらに、第１チューナと第２チューナとを接続する入力ケーブル２０’の信号線を囲むＧＮＤラインによって、それぞれの基板５０，５０’およびチューナシャーシ３０，３０’が短い距離でＧＮＤ接続されるため、ＲＦ信号の輻射や外部信号からの遮蔽効果を高めることができる。
【００７３】
尚、図８では第１チューナのＲＦ信号の入力端子部分は本発明の入力コネクタ１０を用いて記載したが、もちろん従来の形態のコネクタを使用してもよいし、接続する機器に合わせて適宜端子の構造を変化させてもよい。
【００７４】
即ち、本発明のチューナ端子は、チューナ端子をチューナシャーシの内部の基板に設けており、かつ、チューナへの入出力ケーブル、基板のＧＮＤおよびチューナシャーシのＧＮＤをチューナへの入出力ケーブルのＧＮＤラインによって短い距離で接続する。前記構成によって入出力端子部分をさらに小型化するとともに信号線およびチューナをシールドし、不要な信号を遮蔽することができる。特にチューナを複数台接続した場合に、接続ケーブルによる不要な信号の輻射、および不要な信号の遮蔽効果が得られるとともに省スペース化も可能である。
【００７５】
なお本発明は、以上説示した各構成に限定されるものではなく、特許請求の範囲に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７６】
以上のように、本発明では、外部をシャーシによって覆われた受信装置において、受信装置の内部に設けられた受信回路基板の接地端子とシャーシとが受信用の信号ケーブルの接地線によって短い距離で接続されるため、受信モジュールを小型化するとともに輻射や外部ノイズからの遮蔽効果を高めることができる。そのため、本発明は、テレビやビデオカセットレコーダー、テレビに接続して各種情報サービスを受けるための機器であるセットトップボックスなど代表されるチューナや各種送受信装置やその部品を製造する分野に利用することができる。
【図面の簡単な説明】
【００７７】
【図１】本発明における受信装置の実施の一形態を示す断面図であり、受信装置のＲＦ信号の入力コネクタが受信装置の基板に設けられ、受信装置の基板のＧＮＤとチューナシャーシのＧＮＤとが受信装置の入力ケーブルのＧＮＤ線によって接続された様子を示す断面図である。
【図２】本発明における受信装置の別の実施の一形態を示す断面図であり、図１の構成に対して受信装置の入力ケーブルが受信装置のシールド蓋の側から接続されている様子を示す断面図である。
【図３】本発明における受信装置の別の実施の一形態を示す断面図であり、図２の構成と同様に受信装置の入力ケーブルが受信装置のシールド蓋の側から接続されており、受信装置の入力ケーブルのＧＮＤ線がシールド蓋に接続し、シールド蓋とチューナシャーシとが接続される様子を示す断面図である。
【図４】本発明における受信装置の別の実施の一形態を示す断面図であり、図１の構成に対して受信装置のＲＦ信号の入力コネクタのＧＮＤ端子とチューナシャーシとが接続されている様子を示す断面図である。
【図５】本発明における受信装置の別の実施の一形態を示す断面図であり、図１の構成に対して受信装置のＲＦ信号の入力コネクタのＧＮＤ端子とシールド蓋とが接続されている様子を示す断面図である。
【図６】本発明における受信装置の別の実施の一形態を示す断面図であり、図１の構成に対して受信装置の入力ケーブルのＧＮＤ線にコネクタ・フレーム接続部を形成し、受信装置のＲＦ信号の入力コネクタおよびチューナシャーシのＧＮＤコネクタを入力ケーブルに設けられたコネクタ・フレーム接続部で接続する様子を示す断面図である。
【図７】本発明における受信装置の別の実施の一形態を示すブロック図であり、本発明の複数の受信装置が接続されている様子を示すブロック図である。
【図８】本発明における受信装置の別の実施の一形態を示す断面図であり、本発明の複数の受信装置が図７に示す構成で接続され、シャーシに収納されている様子を示す断面図である。
【図９】従来の受信装置を示す断面図であり、従来のＲＦ信号の入出力コネクタを備える複数の受信装置が図７に示す構成で接続され、シャーシに収納されている様子を示す断面図である。
【図１０】従来の受信装置を示す平面図である。
【図１１】従来の別の受信装置を示す平面図である。
【符号の説明】
【００７８】
１０，１０’                        コネクタ
１１                                ＧＮＤ端子
１２                                接続端子（コネクタの接地端子）
１３                                出力コネクタ
２０，２０’，１２０                入力ケーブル（ケーブル）
２１                                コネクタＧＮＤ接続部（接地線）
２２                                フレーム接続部（接地線）
２３                                コネクタ・フレーム接続部（接地線、プラグ）
３０，３０’３０ａ，３０ｃ，１３０  チューナシャーシ（導電性フレーム、シャーシ）
３１，３１ａ                        ケーブルＧＮＤ接続部（接続部）
３２                                開口部
３３                                圧接部
４０，４０ｂ                        シールド蓋（導電性フレーム、シールド部材）
４１ｂ                              ケーブルＧＮＤ接続部（接続部）
４２                                シールド蓋（導電性フレーム、シールド部材）
５０，５０’                        基板（回路基板）
【図１】
2008085676.tif 000003
【図２】
2008085676.tif 000004
【図３】
2008085676.tif 000005
【図４】
2008085676.tif 000006
【図５】
2008085676.tif 000007
【図６】
2008085676.tif 000008
【図７】
2008085676.tif 000009
【図８】
2008085676.tif 000010
【図９】
2008085676.tif 000011
【図１０】
2008085676.tif 000012
【図１１】
2008085676.tif 000013